(57)【要約】【課題】録画装置において、記録媒体への負荷を軽減させる。【解決手段】録画装置は、ＴＶ番組を受信するデジタルチューナと、不揮発性のメモリと、揮発性の一時記憶メモリと、ＴＶ番組の映像音声データ等を記録するＨＤＤと、装置各部の制御を行う制御用マイコンとを備える。制御用マイコンは、ＨＤＤに記録されるＴＶ番組の映像音声データに対応する管理情報を生成し（Ｓ１）、作成した管理情報を一時記憶メモリに記憶する（Ｓ２）。そして、制御用マイコン１８は、前回のバックアップ処理から例えば１分が経過したとき（Ｓ３でＹＥＳ）、常時録画処理中であるか否かを判断し（Ｓ４）、常時録画処理中である場合（Ｓ５でＹＥＳ）、本処理を終了する。一方、常時録画処理中でない場合（Ｓ５でＮＯ）、一時記憶メモリに記憶された管理情報をＨＤＤにバックアップする（Ｓ６）。【選択図】図２
2010177907.tif 000002
【特許請求の範囲】
【請求項１】
放送局から放送されるテレビジョン番組（以下、ＴＶ番組という）を受信する受信手段と、
前記受信手段によって受信されたＴＶ番組の映像データ及び音声データを記録する不揮発性の記録媒体と、
前記記録媒体に記録した映像データや音声データを管理するための管理情報を生成する管理情報生成手段と、
前記管理情報生成手段によって生成された管理情報を記憶する記憶手段と、
前記受信手段によって受信されているＴＶ番組を常時録画する常時録画処理モードを有し、装置各部を制御する制御手段とを備える録画装置において、
前記記憶手段は、前記管理情報を一時的に記憶する記憶装置であり、
前記制御手段は、前記常時録画処理モードに設定されている場合に、前記受信手段によって受信されているＴＶ番組の映像データ及び音声データのみを前記記録媒体に記録すると共に、前記管理情報生成手段を用いて生成した管理情報を前記記憶手段にのみ記憶することを特徴とする録画装置。
【請求項２】
前記記憶手段は、揮発性メモリであることを特徴とする請求項１に記載の録画装置。
【請求項３】
前記記憶手段に記憶された管理情報の中から特定の映像データに対応する管理情報を取得する管理情報取得手段をさらに備え、
前記制御手段は、前記常時録画処理モードにおいて録画されたＴＶ番組の中からタイトル化するＴＶ番組がユーザにより選択されたとき、前記管理情報取得手段を用いて、選択されたＴＶ番組に対応する管理情報を前記記憶手段から取得し、取得した管理情報を前記記録媒体に記録することを特徴とする請求項１又は２に記載の録画装置。
【発明の詳細な説明】
【技術分野】
【０００１】
本発明は、ＴＶ番組の常時録画処理が可能である録画装置に関する。
【背景技術】
【０００２】
近年、ユーザが視聴しているテレビジョン（以下、ＴＶという）番組を常時録画する処理（以下、常時録画処理という）を行うことができる録画装置が知られている（例えば、特許文献１乃至３参照）。この種の録画装置では、ユーザが視聴中であり、録画設定を行っていなかったＴＶ番組のシーン等を見逃した場合であっても、常時録画処理によって録画した映像及び音声のデータ（映像音声データという）を再生することによって見逃したＴＶ番組のシーン等を確実に視聴することができる。
【０００３】
ところで、一般的にこの種の録画装置がハードディスク等の記録媒体にＴＶ番組を録画する場合、記録媒体に記録したＴＶ番組の映像音声データのアドレスを管理する管理情報が必要となる。仮に録画中に停電等が発生することによって録画処理が中断されて管理情報が消滅すると、映像音声データの再生を行うことができなくなる。これに対して、上記従来の常時録画処理を行うことが可能な録画装置ではＴＶ番組の録画を行う際に、ＴＶ番組の映像音声データを記録媒体に記録すると共に、メモリ上に生成した管理情報を一定間隔毎に記録媒体に記録する処理（以下、バックアップ処理という）を行う。
【０００４】
ところで、一般的に、ユーザは、常時録画処理によって録画されたＴＶ番組を再生することが非常に少ない。しかしながら、上記従来の常時録画可能な録画装置では、常時録画処理中にもバックアップ処理を行うため記録媒体に負荷がかかるという問題がある。
【先行技術文献】
【特許文献】
【０００５】
【特許文献１】特開２００２−８４４９８号公報
【特許文献２】特開２００７−２０８４９３号公報
【特許文献３】特開２００７−２８１７７２号公報
【発明の概要】
【発明が解決しようとする課題】
【０００６】
本発明は、上述した問題点を解決するためになされたものであり、記録媒体への負荷を軽減させることができる録画装置を提供することを目的とする。
【課題を解決するための手段】
【０００７】
上記目的を達成するために請求項１の発明は、放送局から放送されるテレビジョン番組（以下、ＴＶ番組という）を受信する受信手段と、前記受信手段によって受信されたＴＶ番組の映像データ及び音声データを記録する不揮発性の記録媒体と、前記記録媒体に記録した映像データや音声データを管理するための管理情報を生成する管理情報生成手段と、前記管理情報生成手段によって生成された管理情報を記憶する記憶手段と、前記受信手段によって受信されているＴＶ番組を常時録画する常時録画処理モードを有し、装置各部を制御する制御手段とを備える録画装置において、前記記憶手段は、前記管理情報を一時的に記憶する記憶装置であり、前記制御手段は、前記常時録画処理モードに設定されている場合に、前記受信手段によって受信されているＴＶ番組の映像データ及び音声データのみを前記記録媒体に記録すると共に、前記管理情報生成手段を用いて生成した管理情報を前記記憶手段にのみ記憶するものである。
【０００８】
請求項２に記載の発明は、請求項１に記載の録画装置において、前記記憶手段は、揮発性メモリであるものである。
【０００９】
請求項３に記載の発明は、請求項１又は２に記載の録画装置において、前記記憶手段に記憶された管理情報の中から特定の映像データに対応する管理情報を取得する管理情報取得手段をさらに備え、前記制御手段は、前記常時録画処理モードにおいて録画されたＴＶ番組の中からタイトル化するＴＶ番組がユーザにより選択されたとき、前記管理情報取得手段を用いて、選択されたＴＶ番組に対応する管理情報を前記記憶手段から取得し、取得した管理情報を前記記録媒体に記録するものである。
【発明の効果】
【００１０】
本発明によれば、常時録画処理モードに設定されている場合に、受信されているＴＶ番組の映像データ及び音声データのみを記録媒体に記録すると共に、管理情報を記憶手段にのみ記憶する。そのため、常時録画処理において、管理情報を記録媒体に記録することがないので記録媒体への書込み負荷を軽減させることができる。
【図面の簡単な説明】
【００１１】
【図１】本発明の一実施形態に係るハードディスクレコーダの構成を示すブロック図。
【図２】上記ハードディスクレコーダのバックアップ処理の手順を示すフローチャート。
【図３】（ａ）は、上記ハードディスクレコーダの一時記憶メモリに記録されるデータの一例を示し、（ｂ）は、上記ハードディスクレコーダのＨＤＤに録画されるデータの一例を示す図。
【図４】上記ハードディスクレコーダのタイトル化処理の手順を示すフローチャート。
【発明を実施するための形態】
【００１２】
本発明の一実施形態に係るハードディスクレコーダ（録画装置）について、図１を参照して説明する。図１は、ハードディスクレコーダ１の内部構成を示すブロック図である。ハードディスクレコーダ１は、放送局から放送されるテレビジョン番組（以下、ＴＶ番組という）を受信して、このＴＶ番組の映像データ及び音声データを、伝送ケーブル３を介してハードディスクレコーダ１と接続されたモニタ装置２に出力するものである。また、ハードディスクレコーダ１は、放送局から放送されるＴＶ番組の録画再生を行うものである。モニタ装置２は、ディスプレイやスピーカを有する表示装置である。
【００１３】
ハードディスクレコーダ１は、放送局から放送されるデジタルＴＶ放送信号に基づくＴＶ番組を受信するデジタルチューナ（受信手段）１１と、ユーザによって操作されるリモコン装置４から送信されたリモコン信号を受信するリモコン信号受信部１２と、筐体外部に露出するように設けられたＨＤＭＩ端子等から構成される端子部１３とを備える。また、ハードディスクレコーダ１は、不揮発性のメモリ１４と、揮発性の一時記憶メモリ（記憶装置）１５と、ＴＶ番組の映像及び音声のデータ（以下、映像音声データという）等を記録するハードディスク（請求項における記録媒体；以下、ＨＤＤという）１６と、アクセス部１７と、装置各部の制御を行う制御用マイコン（制御手段）１８とをさらに備える。
【００１４】
メモリ１４には、制御用マイコン１８を動作させるためのプログラム１４ａや、予約録画を行うＴＶ番組の情報が記録された録画番組情報１４ｂや、後述する常時録画処理設定（常時録画処理モード）のオン／オフ設定情報が記録される常時録画処理設定情報１４ｃが記憶される。メモリ１４は、不揮発性メモリであるため、停電等によりハードディスクレコーダ１の電源がオフされた場合であっても、プログラム１４ａ、録画番組情報１４ｂ、及び常時録画処理設定情報１４ｃに記憶されている情報は消去されない。
【００１５】
一時記憶メモリ１５には、管理情報１５ａが記憶される。一時記憶メモリ１５は、揮発性であるため、停電等によりハードディスクレコーダ１の電源がオフされた場合、管理情報１５ａは消去される。管理情報１５ａは、ＨＤＤ１６に記憶されるＴＶ番組の映像音声データを管理するための情報であり、管理情報１５ａには、映像音声データのエンコード方式や、データサイズや範囲等の情報が格納されている。
【００１６】
ＨＤＤ１６は、映像音声データと、管理情報とを記憶する不揮発性の記録媒体である。ＨＤＤ１６は、不揮発性であるため、停電等によりハードディスクレコーダ１の電源がオフされた場合であっても、映像音声データや管理情報は消去されない。アクセス部１７は、ＨＤＤ１６に対してＴＶ番組の映像音声データや管理情報の読み出しや書き込みを行う。制御用マイコン１８は、再生処理部１８ａと、録画処理部１８ｂと、管理情報生成部（管理情報生成手段）１８ｃと、管理情報バックアップ処理部１８ｄと、管理情報取得部（管理情報取得手段）１８ｅとを有する。
【００１７】
再生処理部１８ａは、デジタルチューナ１１によって受信されたＴＶ番組や、アクセス部１７を介してＨＤＤ１６から読み出した映像音声データに基くＴＶ番組の再生を行い、再生されたＴＶ番組の映像データ及び音声データをモニタ装置２に出力する。
【００１８】
録画処理部１８ｂは、例えばユーザによって設定された録画番組情報１４ｂに基づいて、又は、リモコン装置４による録画設定に基づいて、デジタルチューナ１１から受信されたＴＶ番組をＨＤＤ１６に予約録画する処理（以下、通常録画処理という）を行う。また、録画処理部１８ｂは、常時録画処理モードがオン設定のとき、つまり、常時録画処理設定情報１４ｃがオン設定のとき、デジタルチューナ１１から受信されているＴＶ番組を常時ＨＤＤ１６に録画する処理（以下、常時録画処理という）を行う。なお、常時録画処理の詳細については後述する。
【００１９】
管理情報生成部１８ｃは、ＨＤＤ１６に記録した映像音声データを管理する管理情報を生成し、生成した管理情報１５ａを一時記憶メモリ１５に記憶するものである。管理情報バックアップ処理部１８ｄは、所定の時間毎に一時記憶メモリ１５に記憶されている管理情報１５ａを、アクセス部１７を介してＨＤＤ１６に記録させる処理（以下、バックアップ処理という）を行う。なお、常時録画処理時においては、後述するようにバックアップ処理を行わない。管理情報取得部１８ｅは、一時記憶メモリ１５に記憶された管理情報１５ａの中から特定の映像音声データに対応する管理情報を取得するものである。
【００２０】
次に、バックアップ処理の手順について、図２に示すフローチャートを参照して説明する。ここでは、現在、ユーザによってＴＶ番組が視聴中であり、デジタルチューナ１１によって受信したＴＶ番組を録画しているものとする。
【００２１】
まず、制御用マイコン１８は、管理情報生成部１８ｃを用いて、ＨＤＤ１６に記録されるＴＶ番組の映像音声データに対応する管理情報を生成し（Ｓ１）、作成した管理情報を一時記憶メモリ１５に記憶する（Ｓ２）。
【００２２】
そして、制御用マイコン１８は、前回のバックアップ処理から例えば１分が経過したとき（Ｓ３でＹＥＳ）、常時録画処理設定情報１４ｃがオン設定であるか否かを判断し（Ｓ４）、この判断の結果、常時録画処理設定情報１４ｃがオン設定である場合、つまり常時録画中である場合（Ｓ５でＹＥＳ）、本処理を終了する。一方、常時録画処理中でない場合（Ｓ５でＮＯ）、制御用マイコン１８は、管理情報バックアップ処理部１８ｄを用いて、一時記憶メモリ１５に記憶された管理情報をＨＤＤ１６に記録（バックアップ）する（Ｓ６）。
【００２３】
次に、一時記憶メモリ１５と、ＨＤＤ１６に記憶されるデータについて、図３を参照して説明する。図３（ａ）は、一時記憶メモリ１５の記憶内容を示し、（ｂ）は、ＨＤＤ１６の記録内容を示す。ここでは、通常録画処理によってＴＶ番組Ａを録画した後、常時録画処理によってＴＶ番組Ｂを録画したものとする。
【００２４】
図３（ａ）に示すように、一時記憶メモリ１５には、ＴＶ番組Ｂの映像音声データＢに対応する管理情報ｂが記憶されている。一方、ＨＤＤ１６には、ＴＶ番組Ａの映像音声データＡと、このデータＡに対応する管理情報ａと、ＴＶ番組Ｂの映像音声データＢとが記録されている。仮にハードディスクレコーダ１の電源がオフされた場合、一時記憶メモリ１５に記憶されている管理情報ｂは消去されてしまうため、映像音声データＢを再生することができない。一方、ＨＤＤ１６は、ハードディスクレコーダ１の電源がオフされた場合であっても、管理情報ａが消去されない。従って、制御用マイコン１８は、この管理情報ａに基づき映像音声データＡを再生することができる。また、ハードディスクレコーダ１の電源がオフされた場合、管理情報ｂが消去されてしまうため、ＨＤＤ１６内の映像音声データＢが記録されている領域は未使用領域であると判断される。従って、ＨＤＤ１６の記録容量を効率良く利用することができる。
【００２５】
次に、常時録画処理によって録画された映像音声データのタイトル化処理の手順について、図４に示すフローチャートを参照して説明する。タイトル化とは、通常録画処理と同様に、映像音声データと、この映像音声データに対応する管理情報とをＨＤＤ１６に記録することによって再生可能とする処理である。ここでは、既に常時録画処理によって映像音声データがＨＤＤ１６に記録されており、管理情報が一時記憶メモリ１５に記憶されているものとする。
【００２６】
まず、ユーザがリモコン装置４を操作することにより、常時録画処理によって録画されたＴＶ番組の中からタイトル化したいＴＶ番組を選択すると（Ｓ１１）、制御用マイコン１８が、管理情報取得部１８ｅを用いて選択されたＴＶ番組の映像音声データに対応する管理情報を一時記憶メモリ１５から取得する（Ｓ１２）。そして、制御用マイコン１８は、管理情報バックアップ処理部１８ｄを用いて、取得した管理情報をＨＤＤ１６に記録（バックアップ）する（Ｓ１３）。このように、常時録画処理によって録画されたＴＶ番組に対して、簡易な操作でタイトル化を行うこと（番組ファイルとしてＨＤＤ１６に記録すること）ができる。
【００２７】
上述したように、本実施形態に係るハードディスクレコーダ１においては、常時録画処理設定がオンに設定されている場合に、デジタルチューナ１１によって受信されているＴＶ番組の映像音声データのみをＨＤＤ１６に記録すると共に、この映像音声データに対応する管理情報を一時記憶メモリ１５にのみ記憶する。そのため、常時録画処理において、管理情報をＨＤＤ１６に記録することがないのでＨＤＤ１６への書込み負荷を軽減させることができる。
【００２８】
なお、本発明は、上記実施形態の構成に限られず、発明の趣旨を変更しない範囲で種々の変形が可能である。例えば、上記実施形態では、ＨＤＤ１６に番組を録画する例を示したがこれに限られず、光ディスク等の記録媒体や、不揮発性のフラッシュメモリ等にＴＶ番組を録画するものであってもよい。また、上記実施形態では、デジタルチューナ１１を有するハードディスクレコーダ１に本発明を適用する例を示したが、これに限られず、アナログチューナを有するハードディスクレコーダに本発明を適用してもよい。また、ＴＶ番組を録画可能なＴＶ受像機が、上述した常時録画処理を行うものであってもよい。
【符号の説明】
【００２９】
１  ハードディスクレコーダ（録画装置）
１１  デジタルチューナ（受信手段）
１５  一時記憶メモリ（記憶手段、記憶装置）
１６  ＨＤＤ（記録媒体）
１８  制御用マイコン（制御手段）
１８ｃ  管理情報生成部（管理情報生成手段）
１８ｅ  管理情報取得部（管理情報取得手段）
【図１】
2010177907.tif 000003
【図２】
2010177907.tif 000004
【図３】
2010177907.tif 000005
【図４】
2010177907.tif 000006